(57)【要約】      （修正有）【課題】高速包装機による生産性を維持したままで、蓋に再封機能を持たせることができる再封機能付き包装用箱を提供する。【解決手段】この包装用箱Ｂでは、天蓋１６の外蓋１６１の一方の側縁部に外蓋１６１の延びる方向に対して略直角方向に向けて延設され、外蓋１６１の裏面に固定される延長フラップ１７と、この延長フラップ１７に折れ線Ｌ１０を介して正面板１１側に延設され、正面板１１の裏面に沿って配置される差し込みフラップ１８とを備え、天蓋１６の開封後、天蓋１６の切り離された正面側の縁部から突出される差し込みフラップ１８を箱本体ｂの天面開口１０内に差し込み、天蓋１６で箱本体ｂの天面開口１０を再封する。【選択図】図２
0003210136.tif 000002
【実用新案登録請求の範囲】
【請求項１】
箱の正面、背面及び左右両側面をなす４側面板と箱の底面をなす底蓋とからなる天面に開口を有する箱本体と、前記箱本体の天面をなし、前記箱本体の天面開口を開閉する天蓋とにより構成され、前記天蓋は、前記４側面板の各端縁部に折れ線を介して連接される一対のフラップ、内蓋、及び外蓋からなり、前記箱本体の天面開口が前記各フラップを介して前記内蓋及び前記外蓋により閉じられ、前記内蓋に対して前記外蓋が糊付けされることで封止され、前記外蓋又は前記内蓋と前記外蓋又は前記内蓋と連接される側面板との間の折れ線上に開封用の切り取り線が形成されて、前記天蓋が前記切り取り線から切り離されることによって開封される開封機能を有する包装用箱において、
前記外蓋又は前記内蓋の一方の側縁部に前記外蓋又は前記内蓋の延びる方向に対して略直角方向に向けて延設され、前記外蓋又は前記内蓋の裏面に固定される延長フラップと、
前記延長フラップに前記外蓋又は前記内蓋と前記外蓋又は前記内蓋と連接される側面板との間の前記折れ線に対応する位置で折れ線を介して前記外蓋又は前記内蓋と連接される側面板側に延設され、前記外蓋又は前記内蓋と連接される側面板の裏面に沿って配置される差し込みフラップと、
を備え、
前記天蓋の開封後、前記天蓋の切り離された縁部から突出される前記差し込みフラップを前記箱本体の天面開口内に差し込み、前記側面板の裏面に係合させることにより、前記天蓋で前記箱本体の天面開口を再封する、
ことを特徴とする再封機能付き包装用箱。
【請求項２】
包装用箱は全体が一枚のブランクシートから一体的に打ち抜かれて形成される一枚の紙基材からなり、当該紙基材において、４側面板は連接して平行に形成され、外蓋又は内蓋は前記４側面板のうちの一方端の側面板の端縁部に折れ線を介して形成され、延長フラップは前記外蓋又は前記内蓋の前記４側面板の連接方向とは反対側の側縁部で前記外蓋又は前記内蓋と前記外蓋又は前記内蓋と連接される側面板との間の前記折れ線に対応する位置から前記外蓋又は前記内蓋の高さ方向に前記外蓋又は前記内蓋よりも小さい所定の高さに折れ線を介して、前記外蓋又は前記内蓋の幅と略同じ又は少し小さい幅に延長して形成され、差し込みフラップは前記延長フラップに前記外蓋又は前記内蓋と前記外蓋又は前記内蓋と連接される側面板との間の前記折れ線に対応する位置で折れ線を介して必要な差し込み長さに延長して、前記一方端の側面板と並列に形成される請求項１に記載の再封機能付き包装用箱。
【請求項３】
延長フラップと差し込みフラップとの間の折れ線上の両端に各フラップに係合可能に切り込みが形成される請求項１又は２に記載請求項１に記載の再封機能付き包装用箱。
【考案の詳細な説明】
【技術分野】
【０００１】
本考案は、医薬品などの物品を収納するのに使用する再封機能付き包装用箱に関する。
【背景技術】
【０００２】
従来、医薬品の包装に使用される包装用箱は、一枚のブランクシートから一体的に打ち抜かれて形成される一枚の紙基材から組み立てられ、箱の正面、背面及び左右両側面をなす４側面板と箱の底面をなす底蓋とからなる箱本体と、箱本体の天面をなし、箱本体の天面開口を開閉する天蓋とにより構成され、底蓋、天蓋が共に、箱本体の４側面板の端縁部から延びる一対のフラップ、内蓋、及び外蓋からなり、一般に４枚フラップカートンと称せられる。医薬品は箱本体に天面に開放された開口から入れられて収納され、医薬品を箱本体内に収納した後、箱本体の天面開口は天蓋により、すなわち、各フラップを介して内蓋及び外蓋により閉じられ、内蓋に対して外蓋が糊付けされることで封止される。
そして、この種の包装用箱では、通常、箱本体の正面板と天蓋との間に切り取り線が併せて設けられ、天蓋を容易に開封できるようにしてある。
【０００３】
この種の包装用箱が特許文献１により提案されている。
この文献１の包装用箱では、正面板（表面板）と内蓋（一方の天板）とを区切る折罫線に沿って切り取り線（略Ｌ字状の切目）が付けられ、正面板の上部に折罫線と半円形状の切り取り線で囲まれた摘み部が設けられる。このようにして摘み部を指で押し破り、この摘み部を引き上げることによって天蓋をなす内蓋及び外蓋を略Ｌ字状の切目に沿って破断することで、箱の天面を容易に開封できるようになっている。なお、この場合、内蓋は箱の正面板から切り離されて外蓋の裏面に移り、外蓋の正面側縁部中央から内蓋と共に正面板から切り離された摘み部が突出される。
【先行技術文献】
【特許文献】
【０００４】
【特許文献１】特開２００３−１１９６１号公報
【考案の概要】
【考案が解決しようとする課題】
【０００５】
しかしながら、上記従来（特許文献１）の包装用箱のような４枚フラップカートンは、高速包装機により生産されているが、既述のように、箱本体の正面板と天蓋との間に切り取り線を設けて、天蓋を容易に開封できるようにすると、天蓋を開封した際に、図８に示すように、外蓋は箱の正面板から切り離されて内蓋の表面に移り、外蓋の正面側縁部中央から内蓋と共に正面板から切り離された摘み部のみが突出され、天蓋それ自体に再封機能がないために、図９に示すように、箱本体の天面開口を天蓋で再封することができない。このため、従来から、高速包装機で生産する４枚フラップカートンには再封機能が無いものが多い。なお、図８、図９に例示の箱では、正面板の上部に外蓋が連接され、背面板の上部に内蓋が連接されていて、特許文献１のものとは外蓋と内蓋が反対になっているが、外蓋、内蓋がどちらであっても、同様である。
このように箱に再封機能が付いていないと、病院や薬局などで、この医薬品の入った箱を保管棚に置く場合は、箱を一度開封してしまうと、棚の上で蓋は開いたままとなり、箱の中から医薬品が出てきてしまったり、蓋表面の表示が見えないために医薬品が識別しにくくなったり、また、開いた蓋で棚に付けられているネームプレートが隠されたりするなど保管棚での箱の取り扱いが容易ではなく、また、この医薬品の入った箱を引き出しの中に入れる場合は、箱を一度開封してしまうと、引き出しの中で蓋は開いたままとなり、蓋表面の表示が見えないために医薬品が識別しにくくなったり、また、開いた蓋が引き出しに引っ掛かって引き出しが開けにくくなったりするなど引き出しでの箱の取り扱いも容易でない。また、蓋の上から箱に輪ゴムを掛けることで、蓋を閉じることができるが、箱から薬の出し入れをする毎に輪ゴムを取ったり付けたりしなければならず、箱の取り扱いが煩雑となる。
【０００６】
本考案は、このような従来の問題を解決するもので、この種の包装用箱において、高速包装機による生産性を維持したままで、蓋に再封機能を持たせること、再封機能を付けることで、病院や薬局などの保管棚や引き出しでの箱の取り扱いを容易にすること、を目的とする。
【課題を解決するための手段】
【０００７】
上記目的を達成するために、本考案の再封機能付き包装用箱は、
箱の正面、背面及び左右両側面をなす４側面板と箱の底面をなす底蓋とからなる天面に開口を有する箱本体と、前記箱本体の天面をなし、前記箱本体の天面開口を開閉する天蓋とにより構成され、前記天蓋は、前記４側面板の各端縁部に折れ線を介して連接される一対のフラップ、内蓋、及び外蓋からなり、前記箱本体の天面開口が前記各フラップを介して前記内蓋及び前記外蓋により閉じられ、前記内蓋に対して前記外蓋が糊付けされることで封止され、前記外蓋又は前記内蓋と前記外蓋又は前記内蓋と連接される側面板との間の折れ線上に開封用の切り取り線が形成されて、前記天蓋が前記切り取り線から切り離されることによって開封される開封機能を有する包装用箱において、
前記外蓋又は前記内蓋の一方の側縁部に前記外蓋又は前記内蓋の延びる方向に対して略直角方向に向けて延設され、前記外蓋又は前記内蓋の裏面に固定される延長フラップと、
前記延長フラップに前記外蓋又は前記内蓋と前記外蓋又は前記内蓋と連接される側面板との間の前記折れ線に対応する位置で折れ線を介して前記外蓋又は前記内蓋と連接される側面板側に延設され、前記外蓋又は前記内蓋と連接される側面板の裏面に沿って配置される差し込みフラップと、
を備え、
前記天蓋の開封後、前記天蓋の切り離された縁部から突出される前記差し込みフラップを前記箱本体の天面開口内に差し込み、前記側面板の裏面に係合させることにより、前記天蓋で前記箱本体の天面開口を再封する、
ことを要旨とする。
この場合、包装用箱は全体が一枚のブランクシートから一体的に打ち抜かれて形成される一枚の紙基材からなり、当該紙基材において、４側面板は連接して平行に形成され、外蓋又は内蓋は前記４側面板のうちの一方端の側面板の端縁部に折れ線を介して形成され、延長フラップは前記外蓋又は前記内蓋の前記４側面板の連接方向とは反対側の側縁部で前記外蓋又は前記内蓋と前記外蓋又は前記内蓋と連接される側面板との間の前記折れ線に対応する位置から前記外蓋又は前記内蓋の高さ方向に前記外蓋又は前記内蓋よりも小さい所定の高さに折れ線を介して、前記外蓋又は前記内蓋の幅と略同じ又は少し小さい幅に延長して形成され、差し込みフラップは前記延長フラップに前記外蓋又は前記内蓋と前記外蓋又は前記内蓋と連接される側面板との間の前記折れ線に対応する位置で折れ線を介して必要な差し込み長さに延長して、前記一方端の側面板と並列に形成されることが好ましい。
また、この場合、延長フラップと差し込みフラップとの間の折れ線上の両端に各フラップに係合可能に切り込みが形成されることが好ましい。
【考案の効果】
【０００８】
本考案の再封機能付き包装用箱によれば、上記のとおり、外蓋又は内蓋の一方の側縁部に外蓋又は内蓋の延びる方向に対して略直角方向に向けて延設され、外蓋又は内蓋の裏面に固定される延長フラップと、この延長フラップに外蓋又は内蓋と外蓋又は内蓋と連接される側面板との間の折れ線に対応する位置で折れ線を介して外蓋又は内蓋と連接される側面板側に延設され、外蓋又は内蓋と連接される側面板の裏面に沿って配置される差し込みフラップとを備え、天蓋の開封後、天蓋の切り離された縁部から突出される差し込みフラップを箱本体の天面開口内に差し込み、側面板の裏面に係合させることにより、天蓋で箱本体の天面開口を再封するようにしたので、包装用箱の高速包装機による生産性を維持したままで、蓋（天蓋）に再封機能を持たせることができ、そして、再封機能を付けることで、病院や薬局などの保管棚や引き出しでの箱の取り扱いを容易にすることができる、という本考案独自の格別な効果を奏する。
【図面の簡単な説明】
【０００９】
【図１】本考案の一実施の形態における再封機能付き包装用箱の開封前の外部構成を示す正面側から見た部分斜視図
【図２】同包装用箱の開封後の外部及び内部構成を示す正面側から見た部分斜視図
【図３】同包装用箱を構成する紙基材の展開図
【図４】同包装用箱の特に再封機能の構成を示す部分斜視図
【図５】同包装用箱の特に再封機能の構成を示す部分斜視図
【図６】同包装用箱の使用例を示し、箱を開封した状態を示す部分斜視図
【図７】同包装用箱の使用例を示し、箱を再封する状態を示す部分斜視図
【図８】従来の開封機能付きの包装用箱の開封後の状態を示す部分斜視図
【図９】同包装用箱の再封できない構造を説明するための部分斜視図
【考案を実施するための形態】
【００１０】
次に、この考案を実施するための形態について図を用いて説明する。
図１及び図２に再封機能付き包装用箱を示している。
【００１１】
図１、図２に示すように、再封機能付き包装用箱Ｂ（以下、包装用箱Ｂ又は箱Ｂという場合がある。）は、ボール紙、クラフト紙のような比較的厚さがあり直立性のある紙材により形成され、箱Ｂの正面、背面及び左右両側面をなす４側面板１１−１４（正面板１１、右側面板１２、背面板１３、左側面板１４）と箱Ｂの底面をなす底蓋１５（図３参照）とからなる天面に開口１０を有する箱本体ｂと、箱本体ｂの天面をなし、箱本体ｂの天面開口１０を開閉する天蓋１６とにより構成される。
【００１２】
この箱Ｂの場合、箱本体ｂは、縦に長い直方体状に構成され、正面板１１、背面板１３はそれぞれ、同じ大きさの縦長の長方形で、左右の側面板１２、１４はそれぞれ、正面板１１、背面板１３よりも幅が狭い同じ大きさの縦長の長方形になっている。なお、この場合、正面板１１の右側面板１２とは反対側の側縁部に接続片１１１（図３参照）が形成され、この接続片１１１が左側面板１４の裏面で正面側縁部に糊を介して接続される。また、底蓋１５は、図３を参照すると、４側面板１１−１４の各端縁部、この場合、正面板１１の下端縁部から折れ線Ｌ１を介して連接され、箱本体ｂの底面開口の全部を被覆可能な略矩形状の外蓋１５１、背面板１３の下端縁部から折れ線Ｌ３を介して連接され、箱本体ｂの底面開口の一部（底面開口全体の５分の４若しくは４分の３程度）を被覆可能な略台形状の内蓋１５２、左右各側面板１２、１４の下端縁部から折れ線Ｌ２、Ｌ４を介して連接され、箱本体ｂの底面開口を部分的（底面開口全体の５分の２程度）を被覆可能な略台形状の左右一対のフラップ１５３、１５４からなり、箱本体ｂの底面開口が各フラップ１５３、１５４を介して内蓋１５２及び外蓋１５１により順次閉じられ、内蓋１５２に対して外蓋１５１が糊付けされることで封止される。
【００１３】
天蓋１６は、図３を参照すると、４側面板１１−１４の各端縁部、この場合、正面板１１の上端縁部から折れ線Ｌ５を介して連接され、箱本体ｂの天面開口１０の全部を被覆可能な略矩形状の外蓋１６１、背面板１３の上端縁部から折れ線Ｌ７を介して連接され、箱本体ｂの天面開口１０の一部（天面開口１０全体の５分の４若しくは４分の３程度）を被覆可能な略台形状の内蓋１６２、左右各側面板１２、１４の上端縁部から折れ線Ｌ６、Ｌ８を介して連接され、箱本体ｂの天面開口１０を部分的（天面開口１０全体の５分の２程度）を被覆可能な略台形状の左右一対のフラップ１６３、１６４からなり、箱本体ｂの天面開口１０が左右の各フラップ１６３、１６４を介して内蓋１６２及び外蓋１６１により順次閉じられ、内蓋１６２に対して外蓋１６１が糊付けされることで封止される。
また、天蓋１６の外蓋１６１とこの外蓋１６１と連接される正面板１１との間の折れ線Ｌ５上には開封用の切り取り線Ｃ１が形成される。この場合、開封用の切り取り線Ｃ１は、外蓋１６１と正面板１１との間の折れ線Ｌ５の中央直下の位置に折れ線Ｌ５から略台形の溝形にミシン目ｃ１が付けられ、さらに、その溝形のミシン目ｃ１の両端から折れ線Ｌ５の両端まで折れ線Ｌ５上にミシン目ｃ２が付けられて形成される。この正面板１１上部の溝形のミシン目ｃ１で囲まれた部分を、以下、つまみ部Ｔという。なお、正面板１１と底蓋１５の外蓋１５１との間の折れ線Ｌ１にはその中央直上の位置に折れ線Ｌ１から略半円形の溝形にミシン目ｃ３が付けられ、さらに、その溝形のミシン目ｃ３の両端から折れ線Ｌ１の両端まで折れ線Ｌ１上にミシン目ｃ４が付けられて、箱Ｂの廃棄の際に箱Ｂを折り畳みやすくするための破断線Ｃ２が併せて形成される。
【００１４】
このようにして箱Ｂは箱本体ｂの天面開口１０が各フラップ１６３、１６４を介して内蓋１６２及び外蓋１６１により閉じられ、内蓋１６２に対して外蓋１６１が糊付けされることで封止され、外蓋１６１とこの外蓋１６１と連接される正面板１１との間の折れ線Ｌ５上に開封用の切り取り線Ｃ１が形成されて、天蓋１６が切り取り線Ｃ１から切り離されることによって開封される開封機能を有する。
【００１５】
そして、この箱Ｂでは、再封機能を併せて有する。この再封機能は、図１、図２に示すように、天蓋１６の外蓋１６１の一方の側縁部、この場合、左側縁部に折れ線Ｌ９を介して外蓋１６１の延びる方向に対して略直角方向に向けて延設され、外蓋１６１の裏面に固定される延長フラップ１７と、この延長フラップ１７に外蓋１６１とこの外蓋１６１と連接される側面板１１、すなわち正面板１１との間の折れ線Ｌ５に対応する位置で折れ線Ｌ１０を介して外蓋１６１と連接される正面板１１側に延設され、正面板１１の内側に沿って配置される差し込みフラップ１８とを備えて構成される。
【００１６】
この場合、包装用箱Ｂは、図３に示すように、全体が一枚のブランクシートから一体的に打ち抜かれて形成される一枚の紙基材Ｐからなる。
この紙基材Ｐは、展開した状態において、組み立て時に箱本体ｂの正面板１１をなす正面板部Ｐ１１と、正面板部Ｐ１１の左側部に設けられ、組み立て時に箱本体ｂの左側面板１４の裏面に固定される接続片部Ｐ１１１と、正面板部１１の右側部に連続して設けられ、組み立て時に箱本体ｂの右側面板１２をなす右側面板部Ｐ１２と、右側面板部Ｐ１２の右側部に連続して設けられ、組み立て時に箱本体ｂの背面板１３をなす背面板部Ｐ１３と、背面板部Ｐ１３の右側部に設けられ、組み立て時に箱本体ｂの左側面板１４をなす左側面板部Ｐ１４と、正面板部Ｐ１１の上側部に連続して設けられ、組み立て時に天蓋１６の外蓋１６１をなす外蓋部Ｐ１６１と、正面板部Ｐ１１の下側部に連続して設けられ、組み立て時に底蓋１５の外蓋１５１をなす外蓋部Ｐ１５１と、右側面板部Ｐ１２の上側部に連続して設けられ、組み立て時に天蓋１６の右のフラップ１６３をなす右のフラップ部Ｐ１６３と、右側面板部Ｐ１２の下側部に連続して設けられ、組み立て時に底蓋１５の右のフラップ１５３をなす右のフラップ部Ｐ１５３と、背面板部Ｐ１３の上側部に連続して設けられ、組み立て時に天蓋１６の内蓋１６２をなす内蓋部Ｐ１６２と、背面板部Ｐ１３の下側部に連続して設けられ、組み立て時に底蓋１５の内蓋１５２をなす内蓋部Ｐ１５２と、左側面板部Ｐ１４の上側部に連続して設けられ、組み立て時に天蓋１６の左のフラップ１６４をなす左のフラップ部Ｐ１６４と、左側面板部Ｐ１４の下側部に連続して設けられ、組み立て時に底蓋１５の左のフラップ１５４をなす左のフラップ部Ｐ１５４と、外蓋部Ｐ１６１の左側縁部に連続して設けられ、組み立て時に延長フラップ１７をなす延長フラップ部Ｐ１７と、延長フラップ部Ｐ１７の下側部に連続して設けられ、組み立て時に差し込みフラップ１８をなす差し込みフラップ部Ｐ１８と、を備える。
このようにして、この紙基材Ｐでは、４側面板部Ｐ１１−Ｐ１４は連接して平行に形成され、外蓋部Ｐ１６１が４側面板部Ｐ１１−Ｐ１４のうちの一方端の側面板部Ｐ１１、すなわち正面板部Ｐ１１の上端縁部に折れ線Ｌ５を介して形成され、延長フラップ部Ｐ１７は外蓋部Ｐ１６１の４側面板部Ｐ１１−Ｐ１４の連接方向とは反対側の側縁部で外蓋部Ｐ１６１とこの外蓋部Ｐ１６１と連接される正面板部Ｐ１１との間の折れ線Ｌ５に対応する位置から外蓋部Ｐ１６１の高さ方向に外蓋部Ｐ１６１よりも小さい所定の高さに折れ線Ｌ９を介して、外蓋部Ｐ１６１の幅と略同じ又は少し小さい幅に延長して横長の略長方形に形成される。差し込みフラップ部Ｐ１８は延長フラップ部Ｐ１７に外蓋部Ｐ１６１とこの外蓋部Ｐ１６１と連接される正面板部Ｐ１１との間の折れ線Ｌ５に対応する位置で折れ線Ｌ１０を介して必要な差し込み長さに延長して略台形（この場合、上底より下底が短い台形）に、一方端の正面板部Ｐ１１と並列に形成される。また、この紙基材Ｐには、既述のとおり、外蓋部Ｐ１６１と正面板部Ｐ１１との間の折れ線Ｌ５の中央直下の位置に折れ線Ｌ５から略台形の溝形にミシン目ｃ１が付けられ、さらに、その溝形のミシン目ｃ１の両端から折れ線Ｌ５の両端まで折れ線Ｌ５上にミシン目ｃ２が付けられて、開封用の切り取り線Ｃ１が形成され、外蓋部１５１と正面板部Ｐ１１との間の折れ線Ｌ１にはその中央直上の位置に折れ線Ｌ１から略半円形の溝形にミシン目ｃ３が付けられ、さらに、その溝形のミシン目ｃ３の両端から折れ線Ｌ１の両端まで折れ線Ｌ１上にミシン目ｃ４が付けられて、箱Ｂの廃棄の際に箱Ｂを折り畳みやすくするための破断線Ｃ２が形成される。またさらに、延長フラップ部Ｐ１７と差し込みフラップ部Ｐ１８との間の折れ線Ｌ１０上の両端には各フラップ部１６３、１６４に係合可能に切り込みＣ３が併せて形成される。そして、延長フラップ部Ｐ１７は、図４に示すように、外蓋部１６１の４側面板部Ｐ１１−Ｐ１４の連接方向とは反対側の側縁部の折れ線Ｌ９により外蓋部Ｐ１６１の裏面に折り込まれて、つまり、外蓋部１６１の横側から裏面に折り込まれて、外蓋部Ｐ１６１の裏面に糊を介して固定され、差し込みフラップ部Ｐ１８は延長フラップ部Ｐ１７の下部に折れ線Ｌ１０を介して連続し正面板部Ｐ１１の裏面側に隠蔽配置される。延長フラップ部Ｐ１８が外蓋部Ｐ１６１の裏面に糊で貼り付けられるので、この天蓋１６の仕上がりは、図５に示すように、従来の４枚フラップカートンの形状と変わらない。なお、この場合、正面板部Ｐ１１（正面板１１）の右側面板部Ｐ１２（右側面板１２）とは反対側の側縁部に接続片部Ｐ１１１（接続片１１１）が形成され、この接続片部Ｐ１１１（接続片１１１）が左側面板部Ｐ１４（左側面板１４）の裏面で正面側縁部に糊を介して接続されるが、この接続片部Ｐ１１１（接続片１１１）は差し込みフラップ部Ｐ１８（差し込みフラップ１８）が台形に形成され、その両側が斜めに形成されているので、差し込みフラップ部Ｐ１８（差し込みフラップ１８）から切り離されている。
このような構造としたことで、箱Ｂは、従来の４枚フラップカートンと同様に、高速包装機による生産が可能である。
【００１７】
紙基材Ｐはこのようにして構成され、この紙基材Ｐから、正面板部Ｐ１１の左側部に設けられた接続片部Ｐ１１１が左側面板部Ｐ１４の裏面前側縁部に糊を介して結合され、４側面板部Ｐ１１−Ｐ１４の底面開口が左右の各フラップ部Ｐ１５３、Ｐ１５４を介して内蓋部Ｐ１５２及び外蓋部Ｐ１５１により閉じられ、内蓋部Ｐ１５２に外蓋部Ｐ１５１が糊付けされることで封止され、箱本体ｂが組み立てられる。そして、この箱本体ｂに医薬品が収容されて、天蓋１６が封じられる。すなわち、箱本体ｂの天面開口１０が左右の各フラップ部１６３、Ｐ１６４を介して内蓋部Ｐ１６２及び外蓋部Ｐ１６１により閉じられ、内蓋部Ｐ１６２に外蓋部Ｐ１６１が糊付けされることで封止される。
【００１８】
かくして箱Ｂは、天蓋１６の開封後、天蓋１６の切り離された正面側縁部から突出される差し込みフラップ１８を箱本体ｂの天面開口１０内に差し込み、正面板１１の内側に係合させることにより、天蓋１６で箱本体ｂの天面開口１０が再封される。
すなわち、箱Ｂを開封するには、図６に示すように、箱Ｂの正面板１１上部のつまみ部Ｔを指で押し破り、このつまみ部Ｔを引き上げることによって天蓋１６をなす外蓋１６１が開封用の切り取り線Ｃ１に沿って破断されて、箱Ｂの天面開口１０が容易に開封され、この天蓋１６の開封により、外蓋１６１は箱Ｂの正面板１１から切り離されて内蓋１６２の表面上に移り、外蓋１６１の裏面に延長フラップ１７を介して固定され、外蓋１６１の正面側縁部から延びる差し込みフラップ１８が出現する。そして、この箱Ｂの開封後、箱Ｂを再封するには、箱本体ｂの天面開口１０上に左右の各フラップ１６３、１６４を介して、図７に示すように、外蓋１６１を内蓋１６２と共に倒伏しながら差し込みフラップ１８を箱本体ｂの天面開口１０から差し込み、天蓋１６を閉じると、差し込みフラップ１８が正面板１１の裏面に係止されることで、箱Ｂの天面開口１０が天蓋１６により再封される。また、このとき、外蓋１６１を箱Ｂの中に向けて軽く少し押し込むと、延長フラップ１７と差し込みフラップ１８との間の折れ線Ｌ１０上の両端に形成された各切り込みＣ３に左右の各フラップ１６３、１６４の縁部が引っ掛かることで、天蓋１６の再封状態が確実に保持される。
【００１９】
以上説明したように、この包装用箱Ｂによれば、上記のとおり、天蓋１６の外蓋１６１の一方の側縁部（この場合、左側縁部）に折れ線Ｌ９を介してこの外蓋１６１の延びる方向に対して略直角方向に向けて延設され、外蓋１６１の裏面に固定される延長フラップ１７と、この延長フラップ１７に外蓋１６１とこの外蓋１６１と連接される側面板１１、すなわち正面板１１との間の折れ線Ｌ５に対応する位置で折れ線Ｌ１０を介して正面板１１側に延設され、正面板１１の裏面に沿って配置される差し込みフラップ１８とを備え、天蓋１６の開封後、天蓋１６の切り離された正面側の縁部から突出される差し込みフラップ１８を箱本体ｂの天面開口１０内に差し込み、正面板１１の内側に係合させることにより、天蓋１６で箱本体ｂの天面開口１０を再封するようにしたので、包装用箱Ｂの高速包装機による生産性を維持したままで、天蓋１６に再封機能を持たせることができる。
そして、再封機能を付けたことで、病院や薬局などの保管棚や引き出しでの箱Ｂの取り扱いを容易にすることができる。すなわち、この医薬品の入った箱Ｂを保管棚に置く場合、箱Ｂを開封しても再封できるので、棚の上で箱Ｂの天蓋１６を閉じておくことができ、天蓋１６を閉じておくことで、箱Ｂの中から医薬品が出てくることがなく、天蓋１６表面の表示が見えて医薬品を識別することができ、また、開いた天蓋１６で棚のネームプレートが隠されたりすることもなく、保管棚での箱Ｂの取り扱いが容易となる。また、この医薬品の入った箱Ｂを引き出しの中に入れる場合は、箱Ｂを開封しても再封できるので、引き出しの中で箱Ｂの天蓋１６を閉じておくことができ、天蓋１６を閉じておくことで、天蓋１６表面の表示が見えて医薬品を識別することができ、また、開いた天蓋１６が引き出しに引っ掛かって引き出しが開けにくくなったりすることもなく、引き出しでの箱Ｂの取り扱いも容易となる。また、天蓋１６の上から箱Ｂに輪ゴムを掛ける必要もなく、箱Ｂの取り扱いが容易となる。
【００２０】
なお、この実施の形態では、箱Ｂの正面板１１の（上）端縁部に外蓋１６１、背面板１３の（上）端縁部に内蓋１６２が連接されて、外蓋１６１と正面板１１との間の折れ線Ｌ５上に開封用の切り取り線Ｃ１が形成されるものとしたが、正面板の（上）端縁部に内蓋、背面板の（上）端縁部に外蓋が連接されて、内蓋と正面板との間の折れ線上に開封用の切り取り線が形成されるものであってもよい。
このようにしても上記実施の形態と同様の作用効果を奏することができる。
また、この実施の形態では、箱Ｂの正面板１１の（上）端縁部に外蓋１６１、背面板１３の（上）端縁部に内蓋１６２が連接されて、再封機能が、外蓋１６１の一方の側縁部に外蓋１６１の延びる方向に対して略直角方向に向けて延設され、外蓋１６１の裏面に固定される延長フラップ１７と、この延長フラップ１７の下側部に正面板１１側に延設され、正面板１１の裏面に沿って配置される差し込みフラップ１８とを備えて構成されるものとしたが、正面板の（上）端縁部に内蓋、背面板の（上）端縁部に外蓋が連接されるものであってもよく、この場合、再封機能は、内蓋の一方の側縁部に内蓋の延びる方向に対して略直角方向に向けて延設され、内蓋の裏面に固定される延長フラップと、この延長フラップの下側部に正面板側に延設され、内蓋と連接される正面板の裏面に沿って配置される差し込みフラップとを備えて構成されるものとしてもよい。
このようにしても上記実施の形態と同様の作用効果を奏することができる。
さらに、この実施の形態では、紙基材において、４側面板１１−１４は連接して平行に形成され、４側面板１１−１４のうちの一方端の側面板１１、すなわち正面板１１の端縁部に折れ線Ｌ５を介して外蓋１６１が形成され、延長フラップ１７は外蓋１６１の４側面板１１−１４の連接方向とは反対側の側縁部で外蓋１６１と正面板１１との間の折れ線Ｌ５に対応する位置から外蓋１６１の高さ方向に外蓋１６１よりも小さい所定の高さに折れ線Ｌ９を介して、外蓋１６１の幅と略同じ又は少し小さい幅に延長して形成され、差し込みフラップ１８はこの延長フラップ１８に外蓋１６１と正面板１１との間の折れ線Ｌ５に対応する位置で折れ線Ｌ１０を介して必要な差し込み長さに延長して、一方端の正面板１１と並列に形成されるものとしたが、正面板の端縁部に折れ線を介して内蓋が形成され、延長フラップは内蓋の４側面板の連接方向とは反対側の側縁部で内蓋と正面板との間の折れ線に対応する位置から内蓋の高さ方向に内蓋よりも小さい所定の高さに折れ線を介して、内蓋の幅と略同じ又は少し小さい幅に延長して形成され、差し込みフラップはこの延長フラップに内蓋と正面板との間の折れ線に対応する位置で折れ線を介して必要な差し込み長さに延長して、一方端の正面板と並列に形成されるものとしてもよい。
このようにしても上記実施の形態と同様の作用効果を奏することができる。
【符号の説明】
【００２１】
Ｂ  再封機能付き包装用箱
ｂ 箱本体
１０  開口
１１ 正面板
１１１  接続片
１２ 右側面板
１３ 背面板
１４ 左側面板
１５  底蓋
１５１  外蓋
１５２  内蓋
１５３  右のフラップ
１５４  左のフラップ
１６  天蓋
１６１  外蓋
１６２  内蓋
１６３  右のフラップ
１６４  左のフラップ
１７  延長フラップ
１８ 差し込みフラップ
Ｔ  つまみ部
Ｐ  紙基材
Ｐ１１ 正面板部
Ｐ１１１  接続片部
Ｐ１２  右側面板部
Ｐ１３  背面板部
Ｐ１４  左側面板部
Ｐ１５１  外蓋部
Ｐ１５２  内蓋部
Ｐ１５３  右のフラップ部
Ｐ１５４  左のフラップ部
Ｐ１６１  外蓋部
Ｐ１６２  内蓋部
Ｐ１６３  右のフラップ部
Ｐ１６４  左のフラップ部
Ｐ１７  延長フラップ部
Ｐ１８ 差し込みフラップ部
Ｃ１  開封用の切り取り線
ｃ１  ミシン目
ｃ２  ミシン目
Ｃ２  破断線
ｃ３  ミシン目
ｃ４  ミシン目
Ｃ３  切り込み
Ｌ１−Ｌ１０  折れ線
【図１】
0003210136.tif 000003
【図２】
0003210136.tif 000004
【図３】
0003210136.tif 000005
【図４】
0003210136.tif 000006
【図５】
0003210136.tif 000007
【図６】
0003210136.tif 000008
【図７】
0003210136.tif 000009
【図８】
0003210136.tif 000010
【図９】
0003210136.tif 000011